(57)【要約】【課題】投雪シュータの前下部に配設するシュータガードの裏面に雪が付着して、開口面積が小さくなって詰まりの原因となっていた。【解決手段】掻込みオーガ１０やブロワ８やブロワハウジング７や投雪シュータ１１等を備える除雪部２における投雪シュータ１１開放部の前下部にシュータガード３０を配置する構成において、シュータガード３０を板体で構成し、該シュータガード３０の下部を前後回動可能に支持するとともに、該シュータガード３０をバネ３８にて投雪シュータ後面と略平行となる位置に付勢し、シュータガードの裏面に低摩擦抵抗部材４０を貼設した。【選択図】図５
2005336923.tif 000002
【特許請求の範囲】
【請求項１】
掻込みオーガやブロワやブロワハウジングや投雪シュータ等を備える除雪部における投雪シュータ開放部の前下部にシュータガードを配置する構成において、シュータガードを板体で構成し、該シュータガードの下部を前後回動可能に支持するとともに、該シュータガードを弾性体にて投雪シュータ後部との距離が略同じとなる位置に付勢したことを特徴とする除雪機。
【請求項２】
掻込みオーガやブロワやブロワハウジングや投雪シュータ等を備える除雪部における投雪シュータ開放部の前下部にシュータガードを配置する構成において、シュータガードを板体で構成し、該シュータガードの下部を前後回動可能に支持するとともに、該シュータガードに前方への回動を許容し、かつ、弾性体にて後方へ付勢し、該シュータガードにリンク機構を介して操作部材と連結したことを特徴とする除雪機。
【請求項３】
前記シュータガードの裏面に低摩擦抵抗部材を貼設したことを特徴とする請求項１または請求項２に記載の除雪機。
【請求項４】
前記ブロワハウジングの上部に形成した吐出部を平面視略四角形状に構成し、該吐出部の上部外周面に環状の旋回座を固着し、投雪シュータの下部を回動可能に嵌合したことを特徴とする請求項１乃至請求項３いずれかに記載の除雪機。
【発明の詳細な説明】
【技術分野】
【０００１】
本発明は、走行部の前部に配設される除雪部に設ける投雪シュータに関し、特に、投雪シュータ内部に手や棒などを入れないようにするためのシュータガードの技術に関する。
【背景技術】
【０００２】
従来から、走行部の前部に掻込みオーガやブロワや投雪シュータ等からなる除雪部を配置し、該除雪部の投雪シュータの開口側の基部にはシュータガードが取り付けられ、容易に手等を挿入できないようにし、雪詰まりが生じたときには、シュータガードを回動して、開口側の基部を大きく開けられるようにした技術が知られている。（例えば、特許文献１参照）。
この技術はブロワが回転中に投雪シュータの詰まりを除去するために棒等を突っ込むと、破損のおそれがあるために、シュータガードを回動するとエンジンが停止するようにしていた。
【０００３】
また、温度が低く比較的比重の低い雪を除雪するときは、ブロワにより遠くまで投雪することができるが、湿気が多く比重が大きい雪を除雪する場合には、投雪シュータの下部に設けた切替板により投雪方向を調節して、詰まりを防止した技術も知られている。（例えば、特許文献２参照）。
【特許文献１】実開昭６２−１５４０２２号公報
【特許文献２】特開２０００−６４２４１号公報
【発明の開示】
【発明が解決しようとする課題】
【０００４】
しかし、前者の技術ではシュータガードに雪が付着して詰まってくると、更に詰まりが助長されてしまい、投雪量が減少するので、棒等によりつついて除去する必要がある。後者の技術では、切替板を内部に取り付けるために、部品点数が多くなり、コストアップとなってしまうのである。また、切替板に雪が付着した場合には、固まりが大きくなり、排出ができなくなり、頻繁に詰まりを除去する必要があった。
そこで、本発明はシュータガード部分に詰まりが生じても、雪の排出力によりシュータガードを開くようにして開口部の大きさが変わらないようにして、詰まり除去の回数を減少して操作性を向上し、部品点数の増加も抑えようとするものである。
【課題を解決するための手段】
【０００５】
本発明の解決しようとする課題は以上の如くであり、次にこの課題を解決するための手段を説明する。
【０００６】
即ち、請求項１においては、掻込みオーガやブロワやブロワハウジングや投雪シュータ等を備える除雪部における投雪シュータ開放部の前下部にシュータガードを配置する構成において、シュータガードを板体で構成し、該シュータガードの下部を前後回動可能に支持するとともに、該シュータガードを弾性体にて投雪シュータ後部との距離が略同じとなる位置に付勢したものである。
【０００７】
請求項２においては、掻込みオーガやブロワやブロワハウジングや投雪シュータ等を備える除雪部における投雪シュータ開放部の前下部にシュータガードを配置する構成において、シュータガードを板体で構成し、該シュータガードの下部を前後回動可能に支持するとともに、該シュータガードに前方への回動を許容し、かつ、弾性体にて後方へ付勢し、該シュータガードにリンク機構を介して操作部材と連結したものである。
【０００８】
請求項３においては、前記シュータガードの雪との接触面に低摩擦抵抗部材を貼設したものである。
【０００９】
請求項４においては、前記ブロワハウジングの上部に形成した吐出部を平面視略四角形状に構成し、該吐出部の上部外周面に環状の旋回座を固着し、投雪シュータの下部を回動可能に嵌合したものである。
【発明の効果】
【００１０】
本発明の効果として、以下に示すような効果を奏する。
請求項１の如く構成することにより、シュータガードに雪が付着した場合には、シュータガードは雪の排出力により前方へ回動して、シュータガードが位置する吐出部の開口面積が小さくなることを防止し、雪の通過部分の面積が減少して雪詰まりが生じることを防止でき、吐出部分における雪の除去回数を減少して、作業効率を向上できる。そして、付着した雪が除去された場合には弾性体の付勢力により自動的に元の位置に戻り、調整等の手間も不要で扱い易いにシュータガードとなる。
【００１１】
請求項２の如く構成することにより、シュータガードを投雪シュータ前面と平行に位置させた状態では、請求項１と同様の効果が得られ、操作部材を用いて、シュータガードを前記位置よりも後方へ回動したときには、吐出口の開口面積を減少させて、ブロワによる送風を強くして、雪を勢い良く吐出させて、遠くまで飛ばすことが可能となる。また、開口面積が小さいので、飛ばす雪がバラツクことを防止することができる。
【００１２】
請求項３の如く構成することにより、雪とシュータガードとの摺動抵抗が減少して、シュータガードに雪が付着して詰まることを防止することができる。
【００１３】
請求項４の如く構成することにより、シュータガードから落下した雪は吐出部と旋回座の間から吐出部外部に落下して、吐出部での詰まりを防止することができる。
【発明を実施するための最良の形態】
【００１４】
次に、発明の実施の形態を説明する。
図１は本発明のシュータガードを具備した除雪機の側面図、図２はブロワハウジングの吐出部の平面図、図３は同じく一部正面断面図、図４は除雪部の投雪シュータ付近の斜視図、図５は同じく側面図、図６は他の実施例を示す側面図一部断面図、図７はブロワの斜視図である。
【００１５】
まず、除雪機１の全体構成について図1を用いて説明する。
除雪機１は、機体前部に配設された除雪部２と、該除雪部２の後方に配設された駆動部３と、該駆動部３の下方に配設されたクローラ式走行装置４と、駆動部３の後方であって機体後部に配設された運転操作部５とで構成されている。
【００１６】
前記除雪部２には、機体フレーム６の前部に連設されたブロワハウジング７に内設されたブロワ８と、該ブロワハウジング７の前方に連設されたオーガハウジング９にその回転軸が左右方向となるように内設された掻込オーガ１０と、該ブロワハウジング７の上方に水平旋回可能に立設された投雪シュータ１１とが具備されている。前記ブロワ８は図７に示すように、ブロワ基板８ａとブロワ羽根８ｂ等を備え、回転中心に配置されるボス部８ｃが駆動軸に固設され、該ボス部８ｃの軸心と直角方向にブロワ基板８ａが固設され、ボス部８ｃ外周よりブロワ基板８ａの一面に沿って放射状にブロワ羽根８ｂ・８ｂ・８ｂが吐出されている。なお、ブロワ羽根８ｂの枚数は限定するものではなく、本実施例では三枚羽根としているので、ブロワ基板８ａは略三角形状に構成しており、ブロワ基板８ａは羽根の枚数と同数の多角形に構成される。
【００１７】
そして、本実施例のブロワ８においては、コーティングを施している。従来のブロワは、鋼板等で構成され、塗装を施していたが、過酷な除雪作業の中で塗装が早期にはがれてしまい、鋼板等の面が露出することにより、錆びつき、金切り音が発生し易くなっていた。ここで、一例としてミキサー内部等にも使用されているコーティングを施すことにより、鋼板等の面が塗装に比べて露出する（コーティングがはがれる）ことが極めて少なくなり、錆びつき、金切り音等の発生を改善することができたのである。従来のブロワの塗装面がはがれて鋼板等の面が露出することについては、まず、錆等によって表面が荒れて塗装面に比べて滑らかでなくなってくるのである。それにより、荒れた表面に雪がこびり付く等の現象が起こり、シュータへ放出する際の雪の離れが悪くなる。従って、雪を放出するのに、より馬力を必要とし、効率として悪くなってくる。又、ザラメ雪や凍り付いた雪等の固い雪については鋼板等で直接跳ねだすと、その際に発生する音が大きなものになる。よって、ブロワにおいて、特に雪を跳ねだす羽根部分については、従来の塗装だとはがれ易く、前述したように不都合も発生するので、本実施例においてはコーティングしているのである。コーティングについては用途によりいろいろな種類があるが、特に、セメント、モルタル等のミキサー内部で使われるコーティングは耐久性に優れた効果がある。
コーティングはボス、ブロワ基板、ブロワ羽根で一体的に構成する場合には、ボス内径等の他部品と接触して組み立てられる部位を除いて、ブロワ全体をコーティングすれば良い。また、ブロワは過負荷がかかる部位となるブロワ羽根が損傷し易いのであるが、このブロワ羽根を別体物で構成し、ボルト等で取外し可能に構成することができる。このようにすると、ブロワ羽根の損傷時にブロワ羽根のみを交換することが可能である。このような場合は、ブロワ羽根のみコーティング処理し、ブロワ基板、ボスは従来機の塗装で処理してもよい。前述したように、ブロワ羽根が最も損傷し易いので、必要な箇所にのみコーティングを行うようにすることも可能である。
【００１８】
前記投雪シュータ１１の上下中途部の後面には、運転操作部５近傍まで後方に延出されたハンドル１２が取り付けられ、該ハンドル１２を左右方向に回動することにより投雪シュータ１１を旋回させて投雪方向を変更できるようになっている。さらに、投雪シュータ１１上端にはキャップ１１ａが設けられ、該キャップ１１ａとハンドル１２とがリンク等を介して連結されて、該ハンドル１２の操作でキャップを上下回動可能とし、投雪距離を調節可能としている。
【００１９】
このように構成される除雪部２において、掻込オーガ１０によりオーガハウジング９の左右略中央方向へ掻き込まれた雪は、ブロワ８に送り込まれ、ブロワ羽根の遠心力により上方へ跳ね飛ばされ、投雪シュータ１１によってその方向がガイドされて任意の方向へ排出される。
【００２０】
前記駆動部３では、機体フレーム６に変速装置が内設され、該機体フレーム６の上部にエンジン１５が載置されている。エンジン１５の動力は出力軸１５ａから出力され、除雪部２及び走行装置４に伝達される。除雪部２に伝達された動力は、ブロワ８及び掻込オーガ１０を回転駆動する。また、走行装置４に伝達される動力は、変速装置において変速されたのち、駆動軸１６に伝達され、駆動軸１６に嵌装された駆動スプロケット１７・１７を回転駆動する。
【００２１】
前記機体フレーム６の下部には、駆動スプロケット１７・１７が嵌装された駆動軸１６が回動可能に横架支承され、前記機体フレーム６の後部には、従動スプロケット１８・１８が嵌装された後車軸１９が回動可能に横架支承されている。そして、駆動スプロケット１７と従動スプロケット１８とに無端クローラベルト２０が巻回されてクローラが構成され、この左右一対のクローラによって、駆動軸１６の回転駆動により走行駆動されるクローラ式走行装置４が構成されている。
【００２２】
前記運転操作部５では、前記機体フレーム６の両側後部より斜め後上方に操向ハンドル２１が突出され、平面視Ｕ字状に構成した操向ハンドル２１間に上下の操作ボックス２２・２３が配設されている。上方の操作ボックス２２には、エンジン１５から走行装置４への伝動の入切操作を行うための走行クラッチレバー２４と、エンジン１５から除雪部２への伝動の入切操作を行うための除雪クラッチレバー２５等が配置されている。また、下方の操作ボックス２３には、変速装置による変速操作を行うための走行変速レバー２６が配設されている
【００２３】
前記走行クラッチレバー２４は操向ハンドル２１を握りながら該レバー２４を握れるように構成されており、該レバー２４は操向ハンドル２１とともに握っているとき作動し、放すと停止するデッドマンクラッチレバーとなっている。また、走行クラッチレバー２４と除雪クラッチレバー２５は、いずれも操向ハンドル２１の近傍に設けられており、走行クラッチレバー２４と除雪クラッチレバー２５はいずれもクラッチＯＦＦ操作位置に付勢され、走行クラッチレバー２４をＯＮにした状態で除雪クラッチレバー２５をＯＮにすると、走行クラッチＯＮの操作位置で除雪クラッチレバー２４もＯＮでロックすることができるものとされている。
【００２４】
次に、除雪機１のブロワハウジング７について説明する。
図２、図３に示すように、ブロワハウジング７は、ブロワ８を収納する収納部３１と、該収納部３１から左右中心より一側（本実施例では進行方向左側）に偏心して鉛直方向上向きに突出する吐出部３２とから構成されている。収納部３１は軸芯が前後水平方向を向く円筒形状に構成され、該吐出部３２は前記収納部３１の左右一側上面に連通されるものであり、平面断面視略四角形状に形成されている。即ち、吐出部３２は、収納部３１の最外側壁の上方に位置する左側壁３２ａと、収納部３１の後壁の上方に位置する後側壁３２ｂと、吐出部３２の直下方にブロワ羽根８ｂが位置した際のブロワ羽根８ｂの最内側上方に位置する右側壁３２ｃと、ブロワ羽根８ｂの最先端側上方に位置する前側壁３２ｄとから角筒状に形成されて、吐出部３２の上端に吹上口３３を開口している。
【００２５】
こうして、吐出部３２上端の吹上口３３は、その大きさ（開口面積）がブロワ羽根８ｂの大きさと略同じとなるように構成されるとともに、その断面形状がブロワ羽根８ｂと略同一の角形状となるように構成されている。こうしてブロワ羽根８ｂの形状と吹上口３３の断面形状とを略一致させることによって、ブロワ羽根８ｂから跳ね飛ばされる全ての雪を吐出部３２で詰まらせることなく吹上口３３から投雪シュータ１１に吐き出すことができ、吐出部３２における雪詰りを防止できる。
【００２６】
前記吐出部３２の上端部においては隅部分が面取されて、吐出部３２の外周面に環状の旋回座３５が外接するように固着されている。該旋回座３５は垂直部分の円筒状の嵌合部３５ａと水平部分の円環円盤状に構成した受部３５ｂとから側面断面視Ｌ字状または横Ｔ字状に形成され、投雪シュータ１１の基部４５を回転自在に嵌合できるようになっている。投雪シュータ１１の基部４５は、嵌合部３５ａの外周に嵌め込める大きさの円筒状の嵌合部４５ａと、該嵌合部４５ａの下面に固定する円環円盤状の載置部４５ｂからなり、該載置部４５ｂは前記旋回座３５の受部３５ｂ上に載せて投雪シュータ１１を旋回できるようにしている。該載置部４５ｂの外周には歯車状の歯部を形成して、ハンドル１２により投雪シュータ１１を左右回動するときには旋回座側に設けたストッパーを係合可能とし、運転操作部５よりクランク状のハンドルを回動して旋回させたり、モータ等で旋回させたりする場合には、ハンドルの先端にウォームを連結し、該ウォームを歯部に噛合させるように構成する。
【００２７】
このように構成した角形状の吐出部３２に環状の旋回座３５を取り付けることによって、旋回座３５と吐出部３２の各側壁３２ａ・３２ｂ・３２ｃ・３２ｄとの間には、図２に示すように半円状の間隙３４ａ・３４ｂ・３４ｃ・３４ｄが生じる。そのため、旋回座３５を介して吐出部３２に投雪シュータ１１を装着し、該投雪シュータ１１により吐出部３２から吐き出された雪を外部に排出する際に、投雪シュータ１１から吹き出されなかった雪は旋回座３５と吐出部３２の各側壁３２ａ・３２ｂ・３２ｃ・３２ｄとの間の間隙３４ａ・３４ｂ・３４ｃ・３４ｄから下方に落下して外部に排出されることになる。したがって、吐出部３２から吐き出される雪は投雪シュータ１１又は間隙３４ａ・３４ｂ・３４ｃ・３４ｄから確実に外部に排出されるため、吐出部３２と投雪シュータ１１との間に堆積することもなく、雪詰りの発生を抑制できる。
【００２８】
次に、本発明に係る除雪部２のシュータガード３０について説明する。
図４、図５に示すように、投雪シュータ１１は平面断面視「コ」字状に形成され、開放部を前方へ向けた状態について説明する。シュータガード３０は投雪シュータ１１の前下部に設けた基部４５の前上部に配置されており、該投雪シュータ１１の前下部の開放部を覆うようにシュータガード３０が配置される。
【００２９】
該シュータガード３０は略矩形のプレート状に構成されて、シュータガード３０の雪との接触面（実際には図５における後側の面）には合成樹脂等よりなる低摩擦抵抗部材４０が貼設されている。低摩擦抵抗部材４０はシュータガード３０への雪の付着を防止する役割を果たし、摺動抵抗が小さい材質で構成しておればよい。また、撥水性を有する構成でもよい。また、低摩擦抵抗部材４０は貼設する構成としたが、前述の特性（摺動抵抗小、撥水性良）を有する材質でコーティングしても雪の付着を防止することができる。シュータガードへの雪の付着を防止することに関しては、シュータガード自身を低摩擦抵抗部材で製作してもよいが、一般的には樹脂等の部材になるので、従来のようにシュータガードを鋼板等で構成する場合に比べ、シュータガードの強度が低下する。リブ等を設けて強度確保することも考えられるが、形状が複雑になったり、リブに雪が堆積する等の現象も生じる。従って、この場合、本体は従来通り鋼板で構成し、コーティングまたは貼設等構成で強度はそのままで雪の付着のみを改善している。
【００３０】
そして、シュータガード３０の下部左右両側に回動支点軸３６・３６を突出し、または、下辺に回動支点軸３６を固設して両側方に突出して、投雪シュータ１１の前下部両側に枢支している。該シュータガード３０の上部（先端側）の両側には係止部材として係止ピン３７・３７が突出され、該係止ピン３７・３７に弾性部材としてバネ３８・３８の一端が係止され、該バネ３８・３８の他端は投雪シュータ１１の後側面に係止または固定されている。そして、前記係止ピン３７・３７、または、シュータガード３０上部（先端側）の両側に突起を設けてストッパーとし、前記バネ３８・３８の付勢力によりシュータガード３０と投雪シュータ１１の後部との距離が略同じとなるように付勢している。つまり、シュータガード３０をバネ３８・３８により投雪シュータ１１の後側に引き寄せた時に、ストッパーが投雪シュータの両側前端面に当接して、シュータガード３０の基部側と投雪シュータ１１の後端面（シュータガード３０と反対側面）との間の距離Ａと、シュータガード３０の上部とその高さにおける投雪シュータ１１の後端面との間の距離Ｂが略同じ長さ（Ａ＝Ｂ）となるようにしている。つまり、シュータガード３０と投雪シュータ１１の後面（実際は曲線であるので接線）とが略平行となるようにしている。言い換えれば、シュータガード３０の上部が位置する投雪シュータ１１の開口面積と、シュータガード３０の下部が位置する投雪シュータ１１の開口面積が略同じとなるようにしている。このときのシュータガード３０は上部が鉛直線よりも前方に傾斜しており、上部はバネ３８により後方へ付勢され、下部の回動支点軸３６を中心に前方へ回動可能としている。
【００３１】
このように構成することによって、低摩擦抵抗部材４０によってシュータガード３０の内面側に雪が付着し難くなり、詰まり難くなって雪の排出がスムーズに行われる。そして、例え雪が内面に付着した場合であっても、雪の排出力によりシュータガード３０はバネ３８・３８の付勢力に抗して前下方へ回動し、雪の排出力に比例して前方へ回動し（Ａ＜Ｂ）、吹上口３３上方の開口面積が小さくなることを防止し、排出がスムーズに行われて雪詰まりを防止するようにしている。
そして、作業後や作業途中で付着した雪を除去する場合には、シュータガード３０を前方に倒して（バネ３８の係合を解除してもよい）吹上口３３を大きく開けた状態で詰まった雪を容易に除去することができる。また、温かい場所に放置しておけば、溶けるとともにシュータガード３０に沿って雪は容易に下方へ落下し、バネ３８の付勢力によりシュータガード３０は元の位置に戻る。
【００３２】
また、前記シュータガード３０は、図６に示すように、投雪シュータ１１内部まで回動可能とする構成とすることもできる。即ち、シュータガード３０の左右幅は投雪シュータ１１前面の開口幅よりも若干短く構成して、投雪シュータ１１内外に前後回動可能とし、該シュータガード３０下部に構成した回動支点軸３６は投雪シュータ１１の下部に枢支するとともに、回動支点軸３６の左右いずれか一端は、投雪シュータ１１側面より突出して、その突出部分にアーム３９を固設し、該アーム３９の他端にワイヤーまたはリンク機構５０（本実施例ではリンク４３）を介して操作部材となる操作レバー４１と連結する。該操作レバー４１にはシュータガード３０が所望の位置で固定できるようにする固定手段が設けられている。つまり、レバー位置調整機構が設けられている。
【００３３】
このように構成することにより、操作レバー４１を操作してシュータガード３０を投雪シュータ１１内側まで回動してその角度に固定することにより、吹上口３３から吐出される開口面積が減少されて排出される雪が整流されることになり、投雪される雪のバラツキを防止することができる。また、吐出口が小さくなることにより風速が増加して、勢い良く飛ばすことで投雪距離を長くし、投雪シュータ１１内途中に雪が付着することを防止することができる。
【００３４】
さらに、前記操作レバー４１とリンク４３は前述のように直接連結するのではなく、この連結部において、シュータガード３０に前方への回動を許容する許容部を設け、かつ、後方へ付勢する弾性体をシュータガード３０の回動基部に設けることもできる。即ち、操作レバー４１の回動基部に扇形状の板体を設けて、該板体に回動軸を中心とした円弧状の長孔４１ａを形成して、該長孔４１に前記リンク４３の他端（後端）を挿入して係止し、該リンク４３の一端（前端）をアーム３９の先端に枢結する。そして、アーム３９の回動基部、つまり、回動支点軸３６上には弾性部材となる捩じりバネ４２が取り付けられてシュータガード３０を後方（内部側）へ回動するように付勢する。
【００３５】
このように構成することにより、除雪する雪が少ない場合や投雪する雪のバラツキを抑えたい場合や排出時の風速を速くしたい場合には、操作レバー４１を後方へ回動操作して固定保持する。つまり、シュータガード３０を投雪シュータ１１後面と平行となる位置から投雪シュータ１１内部側へ回動した位置（Ａ＞Ｂ）に設定する。こうしてシュータガード３０上端の開口部の面積が小さくなり、排出する雪を整流し、風速も増加することができる。
また、通常の除雪作業の場合には、操作レバー４１を前方へ回動操作して、シュータガード３０を投雪シュータ１１後端面と略平行となる位置（Ａ＝Ｂ）にセットする。そして、作業を開始すると前記同様に、シュータガード３０の内面に雪が付着してくると、雪の排出力によりシュータガード３０は捩じりバネ４２の付勢力に抗して雪の排出力に比例して前方へ回動する。このときシュータガード３０は、長孔４１ａ内の範囲で前方へ回動することが可能であり、前記同様にシュータガード３０が位置する部分における通過面積を確保することができるようになる。
【図面の簡単な説明】
【００３６】
【図１】本発明のシュータガードを具備した除雪機の側面図。
【図２】ブロワハウジングの吐出部の平面図。
【図３】ブロワハウジングの吐出部の一部正面断面図。
【図４】除雪部の投雪シュータ付近の斜視図。
【図５】除雪部の投雪シュータ付近の側面図。
【図６】他の実施例を示す側面図一部断面図。
【図７】ブロワの斜視図。
【符号の説明】
【００３７】
２  除雪部
７  ブロワハウジング
８  ブロワ
１０  掻込みオーガ
１１  投雪シュータ
３０  シュータガード
３８  バネ（弾性体）
４０  低摩擦抵抗部材
【図１】
2005336923.tif 000003
【図２】
2005336923.tif 000004
【図３】
2005336923.tif 000005
【図４】
2005336923.tif 000006
【図５】
2005336923.tif 000007
【図６】
2005336923.tif 000008
【図７】
2005336923.tif 000009